(57)【特許請求の範囲】
【請求項１】
壁に打ち込んである画鋲を画鋲取り歯で浮き上がらせて画鋲移動用保持具の磁石に画鋲を吸着保持する構造を持ち、更にその画鋲移動用保持具を保持具ボタン共用レールに沿ってマガジン開口部と打ち込み部の間を画鋲を吸着させながら移動させる機構を持つ画鋲取り打込み器。
【請求項２】
請求項１に記載の画鋲取り打込み器であって、マガジン開口部に来た画鋲移動用保持具に保持された画鋲が、マガジン開口部の切欠きに於いてマガジン外周部により画鋲がはぎ取られ、マガジン内直線レールの磁石に吸着保持される装置を持つ画鋲取り打込み器。
【請求項３】
請求項１または２に記載の画鋲取り打込み器であって、マガジン内直線レールを、マガジン軸を中心に放射状に配置し、その周りを覆う円筒の内側にらせんレールを取り付け、マガジン内直線レールをマガジン軸を中心にして回転させることによりマガジン内直線レール上の画鋲を移動させて、画鋲を収納したり、取り出したりする画鋲取り打込み器。
【請求項４】
請求項１又は２および３に記載の画鋲取り打込み器であって、収納打ち出し兼用ボタンを往復運動させる事により、収納打ち出し兼用ボタンに付随した送り直線歯も往復運動をして、マガジン内直線レールを収納側か打ち出し側に９０度回転させる事が出来る機構を持つ画鋲取り打込み器。
【発明の詳細な説明】
【技術分野】
【０００１】本発明は、画びょうを扱う際に、誤って手に刺さるのを防ぎ、かつ、速やかに画びょうを打ちこんだり、取りこんだりして、画びょうに一切手をさわらずにおこなえる様に出き、本体の画びょうが空になったり、画びょうが一杯になったりしてもマガジンを交換することで、打ち込み、取り込みがスム−ズに行える器具である
【背景技術】
【０００２】従来は、取り込みは出来ても打ち込みは取り出して手で持って打たなければならなかった
【発明の開示】
【発明が解決しようとする課題】
【０００３】従来は、手で持って画びょうを打つときに手を傷つけることがあり、又画びょうがなかなか出てこないこともあり、本体を振ったときに誤って画びょうが全部でてしまう事もあった。
【課題を解決するための手段】
【０００４】上記目的を解決するため本発明では、壁から取った画びょうを保持部の磁石により保持してそれをレ−ルに沿って移動させてマガジン内に移動し、歯車等によりマガジン内に回転しながら保管し、更に画びょう取り歯を収納することによりこんどは、マガジン内を逆方向に回転して画びょうを取り出し、打ち込み部により打つことができる様にして、マガジンも交換出来る様にした
【発明の効果】
【０００５】取り込み打ち込みをまったく画鋲を触らずにスムーズに安全に出来、なお且つ本体内での画鋲の移動収納が確実に行え、満タン状態も分かり、詰まりもないのでもどかしさがなく、マガジン収納により利便性が高いという効果がある
【発明を実施するための形態】
【０００６】発明の実施の形態を実施例に基づき図面を参照して説明する、
図８に於いて画びょうを取り込む際、壁に打ち込んである画びょうを、画びょう取り歯３を画びょうと壁との間に割ませて押しながら、てこの要領で画びょうを取ると、すぐに画びょうが画びょう移動用保持具８の保持具用磁石９に吸着保持される
【０００７】前項に続いて、まず保持具８の磁石に吸着した画びょうは、収納打ち出し兼用ボタン１０を後方にスライドさせると保持具８も後方にスライドし、保持具８の磁石に吸着した画びょうは、保持具８は画びょうとの接触部はマガジンの切り欠き部５０よりも幅をせまくしてマガジンに接触しないが、保持具８の磁石に吸着した画びょうは、マガジン外周の内側には入るが、マガジン開口部の切り欠き部５０よりも画びょうの方が大きいので、保持具８の磁石から画びょうが引きはがされ、直線レ−ル１６のマガジン内固定磁石１２に吸着保持され更に収納打ち出し兼用ボタン１０を後方に引き続けると、マガジン回転機構によりマガジン内直線レ−ルが９０°回転してマガジン内らせんレ−ル３０に沿って移動して保管する．  図３（ｂ）〜（ｅ）参照
【０００８】画びょうを打ち込む時は、画びょう取り歯３を画びょう取り歯固定ボタン６を押しながら後方に移動させると、ストッパ−動作棒１９が後方に押され、動作棒１９の溝とストッパ−固定具２６のピン４７と本体の溝４３により歯車、ストッパ−固定具２６を取り込みと反対方向の中心に向かって移動させるので、収納打ち出し兼用ボタン１０を引くと送り直線歯１７が打ち込み時歯車小２４を回転させ、それに付随した打ち込み時歯車大２５が回転し、打ち込み時直線歯３４を送ってマガジンが逆に回転し、画びょうが、らせんレ−ル３０によりマガジン開口部に向かって移動する、図４及び図９参照
【０００９】開口部に移動した画びょうは、収納打ち込み兼用ボタンを戻すと、保持具８が打ち込み部に戻るときに保持具８の磁石９に吸着して打ち込み部に出てくる
【００１０】打ち込み部に出てきた画びょうを打ち込み時押さえ４２を親指で押さえつつ画びょうを壁に打ち込む
【００１１】図６、図７に於いて
画びょうを取り込む時でマガジン内が画びょうで一杯になった時は、図６の（ａ）のストッパ−押し３９の画びょう受けづめ４０が、最奥部の画びょうに引っかかって回転し、それによってストッパ−押し３９が同じく回転してストッパ−バネ３８を押すが、ストッパ−２１は、送り直線歯１７によって動かないが、収納打ち出し兼用ボタン１０を戻すと、送り直線歯１７も戻るので直線歯１７の進路上にストッパ−が出てきて次の画びょうの収納を防止する。（図７．ｂ）
【００１２】図７に於いて
マガジンが満タンになった後、マガジンを取り外して空のマガジンに交換すれば、ストッパ−バネを押さえていたストッパ−押しは、マガジンが空なのでストッパ−を動作させないので、また画びょうが回収出来る
【００１３】図７に於いて
マガジンが満タンになった後、すぐに画びょうを打ち込むときは、画びょう取り歯３を後方に移動させると、ストッパ−動作棒１９が押され、ストッパ−２１が固定されている、歯車ストッパ−固定具２６が外側に移動して、ストッパ−２１が送り直線歯１７の進路からはずれて収納打ち出し兼用ボタン１０を引いて画びょうを打ち出す事ができるようになる。
【図面の簡単な説明】
【００１４】
【図１】本体を横から見た図、横から見た透視図、後部から見た図及び上から見た透視図
【図２】マガジンの上、横から見た図と内部透視図、及びマガジン内直線レ−ルを表し、内部透視図ではマガジン内らせんレ−ル３０を示す、及びマガジンに画びょうを導く調整ガイド５３
【図３】マガジンと画びょう保持部の動きを表した図
【図４】収納打ち出し兼用ボタンを引いた時の送り直線歯と、歯車マガジン回転板の動きを表した図
【図５】画びょうが満タンになった時のストッパ−を構成する部品を表した図
【図６】ストッパ−を動作させるマガジン側の部品を表した図
【図７】画びょうを取り込むときのストッパ−の位置と満タンになった時の位置、そして打ち込みに切り替えたときのストッパ−の位置を表した図
【図８】画びょうを壁から抜き取って保持具の磁石に吸着する過程を表した図
【図９】画びょう取り歯３とストッパ−動作棒１９の動きとそれによる送り直線歯１７の位置の変化を表し、送り直線歯１７が収納時歯車小２３に接している時は画びょうが収納され、送り直線歯１７が打ち込み時歯車小２４に接触している時は画びょうが打ち出される方向にマガジンが回転する
【符号の説明】
【００１５】１．画びょう取り打ち込み器
２．マガジン
３．画びょう取り歯
４．画びょう取り歯移動レ−ル
５．マガジン固定具
６．画びょう取り歯固定ボタン
７．画びょう取り歯固定穴
８．画びょう移動用保持具
９．画びょう保持具用磁石
１０．収納打ち出し兼用ボタン
１１．保持具，ボタン連結棒
１２．マガジン内固定磁石
１３．ボタン戻しバネ
１４．マガジン押さえ
１５．押さえロ−ラ−
１６．マガジン内直線レ−ル
１７．送り直線歯
１８．途中戻り防止ラチェット
１９．ストッパ−動作棒
２０．ラチェット歯
２１．ストッパ−
２２．収納時歯車大
２３．収納時歯車小
２４．打ち込み時歯車小
２５．打ち込み時歯車大
２６．歯車、ストッパ−固定具
２７．マガジン回転板
２８．回転板押さえ円板
２９．マガジン押さえ
３０．マガジン内らせんレ−ル
３１．マガジン回転棒【００１６】３２      保持具ボタン共用レール
３３      直線歯安定用バネ
３４      打ち込み時直線歯
３５      収納時直線歯
３６      打ち込み時つめ
３７      収納時つめ
３８      ストッパーバネ
３９      ストッパー押し
４０      画びょう受けつめ
４１      受けつめ用切り欠き
４２      打ち込み時押さえ
４３      ストッパー移動用本体溝
４４      マガジン固定具
４５      ストッパー動作棒戻しバネ
４６      円盤戻しバネ
４７      ストッパー固定具ピン
４８      動作棒戻しバネ
４９      画鋲取り歯ピン
５０      マガジン切欠き部
５１      ストッパー動作棒溝
５２      供回り防止リング
５３      位置調整ガイド
５４      マガジン軸
【図１】
0005327688.tif 000002
【図２】
0005327688.tif 000003
【図３】
0005327688.tif 000004
【図４】
0005327688.tif 000005
【図５】
0005327688.tif 000006
【図６】
0005327688.tif 000007
【図７】
0005327688.tif 000008
【図８】
0005327688.tif 000009
【図９】
0005327688.tif 000010